(57)【要約】【課題】記録媒体の先端及び後端が転写部に到達するタイミングを精度良く検知する。【解決手段】トナー像を記録媒体１０１に転写するための二次転写部と、二次転写部に正電圧及び負電圧を印加する二次転写電圧回路と、二次転写部に印加する電圧の切り替えを制御する制御ＩＣ４１０と、を備えた画像形成装置であって、二次転写部に印加された電圧を検知する電圧検知回路２２０と、二次転写部に流れる電流を検知する電流検知回路２３０と、を備え、二次転写電圧回路は、直列に接続された、正電圧を供給する正電圧回路２００と負電圧を供給する負電圧回路２１０を有し、制御ＩＣ４１０は、電圧検知回路２２０が検知した電圧及び電流検知回路２３０が検知した電流の変化により、記録媒体１０１の先端及び後端が二次転写部に到達したタイミングを検知する。【選択図】図２
2013076873.tif 000002
【特許請求の範囲】
【請求項１】
トナー像を記録媒体に転写するための転写手段と、
前記転写手段に第１の電圧及び前記第１の電圧とは極性の異なる第２の電圧を印加する印加手段と、
前記転写手段に印加する電圧の切り替えを制御する制御手段と、
を備えた画像形成装置であって、
前記転写手段に印加された電圧を検知する電圧検知手段と、
前記転写手段に流れる電流を検知する電流検知手段と、を備え、
前記印加手段は、前記第１の電圧を供給する第１の電源部と、前記第１の電源部と直列に接続され、前記第１の電源部を介して負極性である前記第２の電圧を供給する第２の電源部を有し、
前記制御手段は、
前記印加手段が前記転写手段に前記第２の電圧を印加している場合には、前記電圧検知手段による前記転写手段における電圧変化の検知により、前記記録媒体の先端が前記転写手段に到達したタイミングを検知し、
前記印加手段が前記転写手段に前記第１の電圧を印加している場合には、前記電流検知手段による前記転写手段における電流変化の検知により、前記記録媒体の後端が前記転写手段に到達したタイミングを検知することを特徴とする画像形成装置。
【請求項２】
トナー像を記録媒体に転写するための転写手段と、
前記転写手段に第１の電圧及び前記第１の電圧とは極性の異なる第２の電圧を印加する印加手段と、
前記転写手段に印加する電圧の切り替えを制御する制御手段と、
を備えた画像形成装置であって、
前記転写手段に印加された電圧を検知する電圧検知手段と、
前記転写手段に流れる電流を検知する電流検知手段と、を備え、
前記印加手段は、前記第２の電圧を供給する第２の電源部と、前記第２の電源部と直列に接続され、前記第２の電源部を介して正極性である前記第１の電圧を供給する第１の電源部を有し、
前記制御手段は、
前記印加手段が前記転写手段に前記第２の電圧を印加している場合には、前記電流検知手段による前記転写手段における電流変化の検知により、前記記録媒体の先端が前記転写手段に到達したタイミングを検知し、
前記印加手段が前記転写手段に前記第１の電圧を印加している場合には、前記電圧検知手段による前記転写手段における電圧変化の検知により、前記記録媒体の後端が前記転写手段に到達したタイミングを検知することを特徴とする画像形成装置。
【請求項３】
前記制御手段は、
前記記録媒体の先端が前記転写手段に到達したタイミングを検知した場合には、前記印加手段により、前記転写手段に印加する電圧を前記第２の電圧から前記第１の電圧に切り替え、
前記記録媒体の後端が前記転写手段に到達したタイミングを検知した場合には、前記印加手段により、前記転写手段に印加する電圧を前記第１の電圧から前記第２の電圧に切り替えることを特徴とする請求項１又は２に記載の画像形成装置。
【請求項４】
前記転写手段における電圧変化及び電流変化は、前記記録媒体の先端が前記転写手段に到達したことによる前記転写手段における抵抗値の増加、及び前記記録媒体の後端が前記転写手段に到達したことによる前記転写手段における抵抗値の減少によることを特徴とする請求項１ないし３のいずれか１項に記載の画像形成装置。
【発明の詳細な説明】
【技術分野】
【０００１】
本発明は、電子写真方式によるレーザービームプリンタ（ＬＢＰ）等の画像形成装置に関する。
【背景技術】
【０００２】
従来から、イエロー（Ｙ）、マゼンタ（Ｍ）、シアン（Ｃ）、ブラック（Ｂｋ）の各色毎に設けられた感光ドラムを直列に配置し、順次各色のトナー像を重ね合わせるように転写し、最後に一括して記録媒体にトナー像を転写する画像形成装置が知られている。
【０００３】
特許文献１では、記録媒体の縁からはみ出す大きさでトナー画像を形成することにより、記録媒体の周縁部に余白マージンが無く、記録媒体全面に画像が形成される縁無し画像を印刷する画像形成装置が提案されている。
【０００４】
ところが、記録媒体の先端が転写部に到達する前に、転写部材に転写電圧を印加したり、記録媒体の後端が転写部を通過後に逆極性の転写電圧を印加する場合、記録媒体からはみ出した部分のトナー像は転写部材に転写されてしまう。その結果、後続の記録媒体の裏面を汚すことになる。そこで、特許文献２では、紙間において、通常とは逆極性の転写電圧を印加して記録媒体からはみ出したトナーを除去する方法が開示されている。縁無し画像が印刷可能な画像形成装置においても、このような構成が提案されているが、転写部材に転写されたトナーを除去する機構や制御シーケンス、及び除去したトナーを貯めておく容器等が必要となる。
【０００５】
逆に、記録媒体の先端が転写部を通過後に、到達時に印加すべき転写電圧へ切り替え、記録媒体の後端が転写部に到達する前に逆極性の転写電圧へ切り替える構成では、転写部材へのトナーの転写は防止できるが、記録媒体の先端及び後端に転写不良が発生する。そこで、特許文献３では、転写部よりも記録媒体搬送方向の上流に配置されたセンサの検知結果に基づいて、転写電圧の切り替えタイミングを制御することにより、転写部材へのトナー像の転写や記録媒体の先端及び後端の転写不良を抑える方法が開示されている。
【先行技術文献】
【特許文献】
【０００６】
【特許文献１】特開２００４−０４５４５７号公報
【特許文献２】特開２００２−２０７３７３号公報
【特許文献３】特開２００６−１５３９３３号公報
【発明の概要】
【発明が解決しようとする課題】
【０００７】
しかし、転写部の位置は種々の公差によるずれがあるため、前述した特許文献３の構成では、センサによる予測タイミングと実際に記録媒体の先端及び後端が転写部に到達するタイミングの間に誤差が生じてしまう。そのため、記録媒体の先端及び後端が転写部に到達するタイミングと、転写電圧の切り替えタイミングとの間にずれが生じ、その結果、転写部材へトナー像が転写されたり、記録媒体の先端や後端における転写不良が発生する。従って、記録媒体の先端及び後端の転写不良を最小限に抑えるには、記録媒体の先端及び後端が転写部に到達するタイミングを精度良く検知することが必要となる。
【０００８】
本発明はこのような状況でなされたもので、記録媒体の先端及び後端が転写部に到達するタイミングを精度良く検知することを目的とする。
【課題を解決するための手段】
【０００９】
前述の課題を解決するために、本発明は以下の構成を備える。
【００１０】
（１）トナー像を記録媒体に転写するための転写手段と、前記転写手段に第１の電圧及び前記第１の電圧とは極性の異なる第２の電圧を印加する印加手段と、前記転写手段に印加する電圧の切り替えを制御する制御手段と、を備えた画像形成装置であって、前記転写手段に印加された電圧を検知する電圧検知手段と、前記転写手段に流れる電流を検知する電流検知手段と、を備え、前記印加手段は、前記第１の電圧を供給する第１の電源部と、前記第１の電源部と直列に接続され、前記第１の電源部を介して負極性である前記第２の電圧を供給する第２の電源部を有し、前記制御手段は、前記印加手段が前記転写手段に前記第２の電圧を印加している場合には、前記電圧検知手段による前記転写手段における電圧変化の検知により、前記記録媒体の先端が前記転写手段に到達したタイミングを検知し、前記印加手段が前記転写手段に前記第１の電圧を印加している場合には、前記電流検知手段による前記転写手段における電流変化の検知により、前記記録媒体の後端が前記転写手段に到達したタイミングを検知する画像形成装置。
【００１１】
（２）トナー像を記録媒体に転写するための転写手段と、前記転写手段に第１の電圧及び前記第１の電圧とは極性の異なる第２の電圧を印加する印加手段と、前記転写手段に印加する電圧の切り替えを制御する制御手段と、を備えた画像形成装置であって、前記転写手段に印加された電圧を検知する電圧検知手段と、前記転写手段に流れる電流を検知する電流検知手段と、を備え、前記印加手段は、前記第２の電圧を供給する第２の電源部と、前記第２の電源部と直列に接続され、前記第２の電源部を介して正極性である前記第１の電圧を供給する第１の電源部を有し、前記制御手段は、前記印加手段が前記転写手段に前記第２の電圧を印加している場合には、前記電流検知手段による前記転写手段における電流変化の検知により、前記記録媒体の先端が前記転写手段に到達したタイミングを検知し、前記印加手段が前記転写手段に前記第１の電圧を印加している場合には、前記電圧検知手段による前記転写手段における電圧変化の検知により、前記記録媒体の後端が前記転写手段に到達したタイミングを検知する画像形成装置。
【発明の効果】
【００１２】
本発明によれば、記録媒体の先端及び後端が転写部に到達するタイミングを精度良く検知することができる。
【図面の簡単な説明】
【００１３】
【図１】実施例１、２の画像形成装置の全体構成を示す断面図
【図２】実施例１の二次転写電圧回路の概要を示した図
【図３】実施例１の記録媒体の先端及び後端が二次転写部ニップ部に到達したタイミングの検知原理を示す図
【図４】実施例１の二次転写電圧回路の回路図
【図５】実施例１、２の絶対値回路及び制御ＩＣの回路を示した図
【図６】実施例１における各種信号の波形図と、各種信号間の関係を時系列で示したタイミングチャート
【図７】実施例２における各種信号の波形図と、各種信号間の関係を時系列で示したタイミングチャート
【発明を実施するための形態】
【００１４】
以下、本発明を実施するための形態について、実施例により詳しく説明する。
【実施例１】
【００１５】
［画像形成装置の概要］
図１は、本実施例のカラー画像形成装置の構成を示す断面図である。このカラー画像形成装置は電子写真方式のタンデム型の４色フルカラーのレーザービームプリンタである。本カラー画像形成装置Ａは、イエロー色の画像を形成する画像形成部Ｙと、マゼンタ色の画像形成部Ｍと、シアン色の画像形成部Ｃと、ブラック色の画像形成部Ｂｋの４つの画像形成部を備えており、これらは一定の間隔をおいて一列に配置されている。各画像形成部Ｙ、Ｍ、Ｃ、Ｂｋ（以下、単に画像形成部ともいう）は、それぞれ像担持体である感光ドラム１ａ、１ｂ、１ｃ、１ｄを備え、感光ドラム上のトナー像が順次、中間転写ベルト８に連続的に多重転写される。画像形成部の符号の末尾のａ、ｂ、ｃ、ｄは、それぞれＹ（イエロー）、Ｍ（マゼンタ）、Ｃ（シアン）、Ｂｋ（ブラック）に対応し、以下では、特に必要のない限り、ａ〜ｄ（又はａ、ｂ、ｃ、ｄ）の記載を省略する。この感光ドラム１は、不図示の駆動手段によって、反時計回りの方向に回転駆動される。感光ドラム１の周囲には、その回転方向順に、帯電装置２、トナー容器と現像ローラからなる現像装置４、一次転写部材５、クリーニング装置６等が配設されている。帯電装置２は、感光ドラム１の表面を均一に帯電し、レーザービーム３は、レーザースキャナユニット（不図示）より照射されて、感光ドラム１上に静電潜像を形成し、現像装置４は、静電潜像にトナーを付着させてトナー像として現像する。転写ブレードで構成された一次転写部材５は、感光ドラム１上のトナー像を中間転写ベルト８に転写させ、クリーニング装置６は、転写後の感光ドラム１表面に残ったトナーを除去する。ここで、感光ドラム１と帯電装置２、現像装置４、トナーを除去するクリーニング装置６は、プロセスカートリッジ７として一体化されており、カラー画像形成装置Ａに着脱可能なものとなっている。
【００１６】
［画像形成動作の概要］
次に、画像形成装置の各部の構成について、画像形成動作と合わせて、順次説明する。感光ドラム１は、その両端部を支持部材によって回転自在に支持されており、一方の端部に駆動モータ（不図示）からの駆動力が伝達され、図１中、反時計回りの方向に回転駆動される。帯電装置２は、ローラ状に形成された導電性ローラであり、感光ドラム１表面に当接して、電源（不図示）によって帯電電圧を印加することにより、感光ドラム１表面を一様に帯電する。レーザースキャナユニット（不図示）より照射されたレーザービーム３は、画像情報に基づいて感光ドラム１表面に照射され、感光ドラム上に静電潜像を形成する。
縁無し印刷の際は、記録媒体のサイズよりもトナー像を大きくする。現像装置４は、それぞれ中間転写ベルト８の搬送方向上流側（図１の左側）から順にイエロー（Ｙ）、マゼンタ（Ｍ）、シアン（Ｃ）、ブラック（Ｂｋ）の各色のトナーをそれぞれ収納したトナー容器４ａ〜４ｄと現像ローラ４ｅ〜４ｈから構成される。感光ドラム１上の静電潜像の現像時には、対応する現像装置４のトナー容器４ａ〜４ｄ内のトナーは、回転する現像ローラ４ｅ〜４ｈの外周に薄層塗布され、トナーに電荷が付与される。この現像ローラ４ｅ〜４ｈと、静電潜像が形成された感光ドラム１との間に現像電圧を印加することにより、静電潜像にトナーを付着させてトナー像として現像する。
【００１７】
一次転写部材５ａ〜５ｄには、それぞれ独立して電圧印加ができるように、一次転写電圧電源５ｅ〜５ｈが設けられている。クリーニング装置６は、現像装置４によって感光ドラム１上に現像されたトナー像が中間転写ベルト８に転写された後、転写されないで感光ドラム１表面に残った、いわゆる転写残トナーを除去するものである。中間転写ベルト８は、循環移動する無端ベルト状の転写部材であり、感光ドラム１ａ〜１ｄに対向し接するように配設されている。中間転写ベルト８は、それぞれが中間転写ベルト８を支持する支持ローラである駆動ローラ９、テンションローラ１０、及び二次転写対向ローラ１１に懸架され、矢印方向にプロセススピード１１５ｍｍ／秒で回転している。一次転写部材５ａのポイントで、まずイエローのトナー像が感光ドラム１ａより中間転写ベルト８に転写され、前述した工程を経た各色に対応する感光ドラム１より、順次マゼンタ、シアン、ブラックの各色のトナー像が中間転写ベルト８に多重転写される。中間転写ベルト８上の４色のトナー像は、中間転写ベルト８と二次転写ローラ１２が当接したニップ部を通過する過程で、二次転写用の正電圧電源１２ａから印加される正電圧によって記録媒体１０１に転写される。
【００１８】
二次転写ローラ１２には、正電圧電源１２ａと負電圧電源１２ｂが接続されている。縁無し印刷の際は、二次転写ローラ１２には、記録媒体の先端が二次転写部に到達する前と、記録媒体の後端が二次転写部を通過した後は負電圧が印加され、記録媒体が二次転写部を通過している間は正電圧が印加される。すなわち、印加される二次転写電圧は、記録媒体の先端が二次転写部を通過するタイミングで負電圧から正電圧へ切り替えられ、記録媒体の後端が二次転写部を通過するタイミングで正電圧から負電圧へ切り替えられる。そして、記録媒体に転写されず、中間転写ベルト８表面に残留した残トナーは、クリーニングローラ１３により感光ドラム１とは逆極性に帯電される。クリーニングローラ１３は、二次転写対向ローラ１１を対向極として中間転写ベルト８に当接し、クリーニング電圧電源１３ａはクリーニング電圧を中間転写ベルト８に印加することにより、中間転写ベルト８上の残トナーを所定の極性に帯電する。中間転写ベルト８上の逆極性に帯電された残トナーは、感光ドラム１との当接部及びその近傍で、感光ドラム１に静電的に吸引されて転移し、クリーニング装置６に回収される。
【００１９】
給紙カセット１０２内に積載収納された記録媒体１０１は、給紙ローラ１０３により１枚ずつ分離給送され、搬送ローラ対１０４、１０５のニップ部へ送られると、更に、搬送ローラ対１０４、１０５によってレジセンサ１０６に搬送される。レジセンサ１０６は、記録媒体１０１の先端及び後端を検知し、中間転写ベルト８に転写されたトナー像と記録媒体１０１の二次転写部に到達するタイミングが適切になるように、記録媒体１０１の搬送タイミングを制御する。レジセンサ１０６は、記録媒体１０１の先端及び後端の検知結果に基づいて、記録媒体１０１が二次転写部に到達するタイミングを予測する。ところが、二次転写部の位置ずれ等により、レジセンサ１０６から二次転写部までの記録媒体の搬送時間がばらつき、レジセンサ１０６が予測するタイミングと、実際に二次転写部に記録媒体１０１の先端及び後端が到達するタイミングとの間に誤差が発生する。中間転写ベルト８と二次転写ローラ１２とが当接したニップ部では、中間転写ベルト８上のトナー像が記録媒体１０１に転写され、記録媒体１０１上にカラー画像が形成される。そして、記録媒体１０１は加熱ローラ１２４及び加圧ローラ１２５のローラ対から成る定着装置１２３を通過することにより、カラー画像は熱定着される。記録媒体１０１は、排出ローラ対１２６で画像形成装置Ａ上部の排出部１２７へ排出され、画像形成の１サイクルが終了する。
【００２０】
［二次転写電圧回路の概要］
次に、図２を参照して、二次転写ローラ１２に電圧印加する二次転写電圧回路の概要について説明する。図２は、二次転写電圧回路の概要を示した回路ブロック図である。二次転写電圧回路は、主に正電圧回路２００、負電圧回路２１０、電圧検知回路２２０、電流検知回路２３０、微分回路２４０、２５０、絶対値回路４００、制御ＩＣ４１０から構成されている。正極性を有する、第１の電圧である正電圧を供給する第１の電源部である正電圧回路２００は、正電圧電源１２ａ、内部抵抗Ｒｐ、定電圧制御回路２０１から構成され、正電圧電源１２ａは、定電圧制御回路２０１によって出力電圧が一定になるように制御される。また、負極性を有する、第２の電圧である負電圧を供給する第２の電源部である負電圧回路２１０は、負電圧電源１２ｂ、内部抵抗Ｒｍ、定電圧制御回路２１１から構成される。負電圧電源１２ｂも、正電圧電源１２ａと同様に、定電圧制御回路２１１によって出力電圧が一定になるように制御される。負電圧回路２１０の出力は、正電圧回路２００を介して、二次転写ローラ１２に供給され、二次転写対向ローラ１１を経由して、グラウンド（以下、「ＧＮＤ」と略す）に流れる。電圧検知回路２２０は、二次転写ローラ１２に印加された電圧を検知し、検知信号であるＴＲ２ＳＶ信号を微分回路２４０へ出力する。また、電流検知回路２３０は、二次転写ローラ１２に流れる電流を検知し、検知信号であるＴＲ２ＳＣ信号を微分回路２５０へ出力する。微分回路２４０、２５０の出力は、ＴＲ２ＳＤ信号として絶対値回路４００に入力され、絶対値回路４００の出力に基づいて、制御ＩＣ４１０は、二次転写ローラ１２へ印加する正電圧と負電圧の切り替え制御を行う。絶対値回路４００、及び制御ＩＣ４１０の詳細については、後述する。
【００２１】
［記録媒体の先端が二次転写部に到達したタイミングの検知］
次に、図３（ａ）を参照して、図２の二次転写電圧回路が、記録媒体１０１の先端が二次転写部のニップ部上流端に到達したタイミングを検知する原理について説明する。図３（ａ）は、二次転写部のニップ部の断面と簡略化した二次転写電圧回路を示した図である。記録媒体１０１は、図３（ａ）の二次転写部のニップ部（ニップ幅Ｎ）の上流端から下流端に向かって、搬送速度ｍで進む。記録媒体１０１の先端が二次転写部のニップ部上流端に到達する直前では、二次転写ローラ１２には、負電圧回路２１０の負電圧電源１２ｂから所定の出力電圧Ｖｍが、正電圧回路２００の内部抵抗Ｒｐを介して印加されている。そして、この時の二次転写部には、二次転写ローラ１２の抵抗Ｒ１２と二次転写対向ローラ１１の抵抗Ｒ１１が存在する。ところが、記録媒体１０１の先端が二次転写部のニップ部に到達すると、二次転写部には、二次転写ローラ１２の抵抗Ｒ１２、二次転写対向ローラ１１の抵抗Ｒ１１、及び記録媒体１０１の抵抗Ｒ１０１が存在する。この時の二次転写部の合成抵抗Ｒｔは、
2013076873.tif 000003
で表され、合成抵抗Ｒｔの抵抗値は、記録媒体１０１の先端が二次転写部のニップ部（ニップ幅Ｎ）を通過する間、増加し続ける。この時の二次転写ローラ１２に印加される電圧Ｖｄは、
2013076873.tif 000004
で表され、二次転写部の合成抵抗Ｒｔが増加することにより、二次転写ローラ１２に印加される電圧Ｖｄも、記録媒体１０１の先端が二次転写部のニップ部（ニップ幅Ｎ）を通過する間、増加し続ける。この電圧Ｖｄの電圧変化を電圧検知回路２２０によって検知することにより、二次転写電圧回路は、記録媒体１０１の先端が二次転写部のニップ部上流端に到達したタイミングを検知することができる。
【００２２】
［記録媒体の後端が二次転写部に到達したタイミングの検知］
続いて、図３（ｂ）を参照して、記録媒体１０１の後端が二次転写部のニップ部上流端に到達したタイミングを、図２の二次転写電圧回路が検知する原理について説明する。図３（ｂ）は、二次転写部のニップ部の断面と簡略化した二次転写電圧回路を示した図である。記録媒体１０１は、図３（ｂ）の二次転写部のニップ部（ニップ幅Ｎ）の上流端から下流端に向かって、搬送速度ｍで進む。記録媒体１０１の後端が二次転写部のニップ部上流端に到達する直前では、二次転写ローラ１２には、正電圧回路２００の正電圧電源１２ａから所定の出力電圧Ｖｐが印加されている。そして、前述した二次転写部の合成抵抗Ｒｔは、記録媒体１０１の後端が二次転写部のニップ部（ニップ幅Ｎ）を通過する間、減少し続ける。この時の二次転写ローラ１２を流れる電流Ｉｄは、
2013076873.tif 000005
で表され、二次転写部の合成抵抗Ｒｔが減少することにより、電流Ｉｄの値は、記録媒体１０１の後端が二次転写部のニップ部（ニップ幅Ｎ）を通過する間、増加し続ける。この電流Ｉｄの電流値の変化を電流検知回路２３０によって検知することにより、二次転写電圧回路は、記録媒体１０１の後端が二次転写部ニップ部の上流端に到達したタイミングを検知することができる。
【００２３】
［二次転写電圧回路の構成と動作］
次に、図４、図５を参照して、二次転写電圧回路の回路動作について説明する。図４は、二次転写電圧回路の回路図であり、図２の正電圧回路２００、負電圧回路２１０、電圧検知回路２２０、電流検知回路２３０、微分回路２４０、２５０を含んだ回路図である。まず、図４において、図２の正電圧回路２００に相当する回路について説明する。図２の正電圧回路２００は、正電圧電源１２ａと定電圧制御回路２０１から構成されている。図４において、正電圧電源１２ａに相当する部分は、抵抗３０２、電界効果トランジスタ（以下、「ＦＥＴ」と略す）３０３、共振用コンデンサ３０４、フライバックトランス３０５、コンデンサ３０６から構成される回路部分である。定電圧制御回路２０１に相当する部分は、トランジスタ３０７、ダイオード３０８、抵抗３０９、コンデンサ３１０、オペアンプ３１１、抵抗３３８から構成された回路部分である。
【００２４】
正電圧回路２００に相当する回路部分では、入力端子３０１から、周波数５０ＫＨｚでデューティ（Ｄｕｔｙ）可変の正電圧クロック信号であるＰＣＬＫ信号が抵抗３０２を介して、ＦＥＴ３０３のゲート端子に入力され、ＦＥＴ３０３が駆動される。ＦＥＴ３０３のソース端子は接地され、ドレイン端子はフライバックトランス３０５の一次巻線の一端と共振用コンデンサ３０４に接続されている。フライバックトランス３０５の一次巻線の他端には、前述した定電圧制御回路２０１に相当する回路部分が接続されており、入力端子３１２から、正電圧出力を制御するＰＰＷＭ信号がオペアンプ３１１に入力され、一次巻線の一端に制御された電圧が印加される。コンデンサ３０６は、フライバックトランス３０５駆動時の急峻な電流変化の場合にも、駆動電圧の変動を無くすために設けられている。また、抵抗３３８は、正電圧出力を検知するための抵抗である。抵抗３３８は、フライバックトランス３０５に内蔵された高圧抵抗と直列に接続され、更に、これらの抵抗により分圧された電圧をオペアンプ３１１の反転入力端子に印加することにより、フライバックトランス３０５が所定の電圧が出力するように制御する。このように、フライバックトランス３０５の一次巻線を一定の制御電圧で駆動することにより、フライバックトランスの出力端子３１３には、高圧の正ＤＣ（直流）電圧であるＴＲ２ＯＵＴ信号が出力される。
【００２５】
続いて、図４において、図２の負電圧回路２１０に相当する回路について説明する。図２の負電圧回路２１０は、負電圧電源１２ｂと定電圧制御回路２１１から構成されている。図４において、負電圧電源１２ｂに相当する部分は、抵抗３１５、ＦＥＴ３１６、インバータトランス３１７、ダイオード３１８、高圧コンデンサ３２９〜３３２、高圧ダイオード３３３〜３３６、抵抗３３７から構成された回路部分である。定電圧制御回路２１１に相当する部分は、トランジスタ３１９、ダイオード３２０、抵抗３２１、コンデンサ３２２、オペアンプ３２３、コンデンサ３２５、抵抗３２６〜３２８から構成された回路分である。
【００２６】
負電圧回路２１０に相当する回路部分では、入力端子３１４から、周波数５５ＫＨｚでデューティ可変の負電圧クロック信号であるＮＣＬＫ信号が抵抗３１５を介して、ＦＥＴ３１６のゲート端子に入力され、ＦＥＴ３１６が駆動される。ＦＥＴ３１６のソース端子は接地され、ドレイン端子はインバータトランス３１７の一次巻線の一端に接続されている。インバータトランス３１７の一次巻線の他端は、ダイオード３１８を介してＧＮＤに接続され、急激な電圧の上昇を抑えるためのスナバ回路を形成している。インバータトランス３１７の一次巻線の中点には、前述した定電圧制御回路２１１に相当する回路部分が接続されており、入力端子３２４から、負電圧出力を制御するＮＰＷＭ信号がオペアンプ３２３に入力され、一次巻線の中点に制御された電圧が印加される。コンデンサ３２５は、インバータトランス３１７の一次巻線への印加電圧を一定にするためのデカップリングコンデンサである。トランジスタ３１９のエミッタ端子は、抵抗３２８を介して、抵抗３２６と抵抗３２７の接続点に接続されている。更に、抵抗３２６と抵抗３２７の接続点はオペアンプ３２３の反転入力端子に接続されると共に、抵抗３２６の他端は基準電圧ＲＧＶに、抵抗３２７の他端はＧＮＤに接続されている。このように一次巻線を駆動することにより、インバータトランス３１７の二次巻線には高圧ＡＣ（交流）電圧が発生する。この高圧ＡＣ電圧を高圧コンデンサ３２９、３３０、３３１、３３２、高圧ダイオード３３３、３３４、３３５、３３６より構成される４倍圧整流回路によって、高圧の負ＤＣ電圧が生成される。抵抗３３７は、４倍圧整流回路に配置された高圧コンデンサ３３２の放電用のブリーダ抵抗である。このインバータトランス３１７及び４倍圧整流回路にて生成された負ＤＣ電圧は、フライバックトランス３０５の二次巻線の入力端子に接続され、フライバックトランス３０５の二次巻線を通じて出力端子３１３に、ＴＲ２ＯＵＴ信号として出力される。
【００２７】
図２の電流検知回路２３０に相当する図４の回路部分は、抵抗３３９、３４０、３４４、３４６、３４８、３４９、ダイオード３４１、３４２、コンデンサ３４３、３４５、オペアンプ３４７にて構成された回路部分である。この回路部分から出力されたＴＲ２ＳＣ信号は、図２の電流検知回路２３０の出力信号であり、後段のコンデンサ３５０と抵抗３５１から構成される、図２の微分回路２５０に相当する回路部分に出力される。オペアンプ３４７の反転入力端子の電圧は、基準電圧ＲＧＶを抵抗３３９と抵抗３４０で分圧した一定の電圧値となる。出力端子３１３に接続された負荷に流れるＴＲ２ＯＵＴ信号の電流値が増加すると、同じ電流値の電流が抵抗３４６に流れることにより、ＴＲ２ＳＣ信号の電圧値も増加する。その結果、コンデンサ３５０と抵抗３５１から構成される微分回路２５０の出力であるＴＲ２ＳＤ信号は、ＴＲ２ＳＣ信号の電圧値が増加している間は、正パルスが端子３５４に出力される。
【００２８】
ＴＲ２ＳＶ信号は図２の電圧検知回路２２０の出力信号であり、図４では、後段のコンデンサ３５２と抵抗３５３で構成される微分回路２４０に出力される。ＴＲ２ＳＶ信号の電圧値は、出力端子３１３から出力されるＴＲ２ＯＵＴ信号の電圧を、フライバックトランス３０５に内蔵されている高圧抵抗と抵抗３３８で分圧した電圧値となる。ＴＲ２ＯＵＴ信号の電圧値が負の時にはＴＲ２ＳＶ信号の電圧値も負となり、出力端子３１３に接続されている負荷抵抗が増加すると、ＴＲ２ＳＶ信号の負電圧の絶対値も増加する。この時、微分回路２４０の出力であるＴＲ２ＳＤ信号は、ＴＲ２ＳＶ信号の負電圧の絶対値が増加している間は、出力電圧が負電圧である負パルスが端子３５４に出力される。
【００２９】
［絶対値回路の構成と動作］
図５（ａ）は、絶対値回路４００の回路図を示した図である。図２の微分回路２４０、２５０の出力信号であるＴＲ２ＳＤ信号は、端子３５４から図５（ａ）に示す絶対値回路４００に入力される。この絶対値回路４００は、反転型半波整流回路と加算回路から構成されている。図５（ａ）において、反転型半波整流回路は、抵抗Ｒ４０１、Ｒ４０２、ダイオード４０３、４０４、オペアンプ４０５から構成され、加算回路は、抵抗Ｒ４０６、Ｒ４０７、Ｒ４０８、オペアンプ４０９から構成されている。ここで、抵抗Ｒ４０１、Ｒ４０２、Ｒ４０６、Ｒ４０８の抵抗値は同一であり、抵抗Ｒ４０７の抵抗値の２倍である。電圧Ｖ４１１、Ｖ４１２、Ｖ４１３は、図５（ａ）の回路の各ポイントにおける電圧値であり、それぞれ、反転型半波整流回路の入力電圧、出力電圧、加算回路の出力電圧を示す。反転型半波整流回路の出力電圧である電圧Ｖ４１２は、入力電圧である電圧Ｖ４１１が正の時、Ｖ４１２＝−Ｖ４１１×（Ｒ４０２／Ｒ４０１）にて算出される。抵抗Ｒ４０１、Ｒ４０２の抵抗値は等しいので、入力電圧Ｖ４１１が正の時は、出力電圧Ｖ４１２＝−Ｖ４１１となり、入力電圧Ｖ４１１が負の時には、出力電圧Ｖ４１２は０ボルトとなる。また、加算回路の出力電圧Ｖ４１３は、Ｖ４１３＝−（Ｖ４１２×（Ｒ４０８／Ｒ４０７）＋Ｖ４１１×（Ｒ４０８／Ｒ４０６））にて算出される。前述した抵抗値の関係より、出力電圧Ｖ４１３は、Ｖ４１３＝−（Ｖ４１２×２＋Ｖ４１１）となる。その結果、入力電圧Ｖ４１１が正の時は、出力電圧Ｖ４１２＝−Ｖ４１１より、出力電圧Ｖ４１３＝−（−Ｖ４１１×２＋Ｖ４１１）＝Ｖ４１１となり、入力電圧Ｖ４１１が負の時は、出力電圧Ｖ４１３＝−Ｖ４１１となる。従って、電圧Ｖ４１３は、電圧Ｖ４１１が負となった時、及び電圧Ｖ４１２が負となった時に正の電圧を出力するため、ＴＲ２ＳＤ信号の絶対値を、ＴＲ２ＳＲ信号として出力する構成となっている。制御ＩＣ４１０は、ＴＲ２ＳＲ信号を端子１ｐから入力し、ＴＲ２ＳＲ信号のパルス信号のタイミングに合わせて、ハイ（Ｈｉｇｈ）レベルとロー（Ｌｏｗ）レベルを切り替えるＴＲ２ＣＯＮＴ信号を端子４ｐから出力する。ＣＰＵＳ信号とＲＥＳＥＴ信号はＣＰＵから出力された信号であり、制御ＩＣ４１０の端子２ｐ、３ｐにそれぞれ入力される。
【００３０】
［制御ＩＣの回路構成と動作］
図５（ｂ）は、制御ＩＣ４１０内部の論理回路を示したものであり、ＡＮＤ回路４１５、４１６、４１７、ＯＲ回路４１８、ＮＯＴ回路４１９、４２０から構成される。まず、記録媒体が二次転写部に到達する前の初期状態においては、端子３ｐに入力されたＲＥＳＥＴ信号はローレベルなので、制御ＩＣ４１０の論理回路全体がリセットされている状態であり、ＴＲ２ＣＯＮＴ信号もローレベル状態である。次に、ＲＥＳＥＴ信号がハイレベルとなると、端子２ｐに入力されるＣＰＵＳ信号がローレベル状態の時には、端子１ｐに入力されるＴＲ２ＳＲ信号がハイレベルとなると、ＴＲ２ＣＯＮＴ信号はハイレベルとなる。その後、ＴＲ２ＳＲ信号がローレベルに戻っても、制御ＩＣ４１０はラッチ状態となっており、ＴＲ２ＣＯＮＴ信号はハイレベル状態のままである。更に、ＣＰＵＳ信号がローレベルからハイレベル状態に変化しても、ＴＲ２ＣＯＮＴ信号はハイレベル状態を継続したままである。次に、ＣＰＵＳ信号がローレベルからハイレベル状態になり、ＴＲ２ＳＲ信号がローレベルからハイレベル状態となると、ラッチ状態が解除され、ＴＲ２ＣＯＮＴ信号はローレベル状態となる。その後、ＴＲ２ＳＲ信号がローレベルに戻っても、制御ＩＣ４１０はラッチ状態となっており、ＴＲ２ＣＯＮＴ信号はローレベルを出力し続ける。ＣＰＵＳ信号は、記録媒体の先端が二次転写部のニップ部を通過するタイミングではローレベル、記録媒体の後端が二次転写部のニップ部を通過するタイミングではハイレベルとなるよう、ＣＰＵにより制御される。そして、ＴＲ２ＣＯＮＴ信号は、記録媒体の先端が二次転写部のニップ部に到達したタイミングではローレベルからハイレベルへ、記録媒体の後端が二次転写部のニップ部に到達したタイミングではハイレベルからローレベルへ切り替わる。各信号の状態変化のタイミングの詳細については、後述する。
【００３１】
［二次転写電圧回路における電圧切り替え制御］
図４において、端子４２１から入力されたＴＲ２ＣＯＮＴ信号は、ＦＥＴ３５５とＦＥＴ３５６のゲート端子に入力される。ＦＥＴ３５５のドレイン端子は、プルアップ抵抗３５７とＦＥＴ３５８のゲート端子に接続され、ＦＥＴ３５８のドレイン端子は正電圧駆動用のＦＥＴ３０３のゲート端子に接続されている。ＦＥＴ３５６のドレイン端子は、負電圧駆動用のＦＥＴ３１６のゲート端子に接続されている。ＴＲ２ＣＯＮＴ信号がハイレベルの時は、ＦＥＴ３５５はオンされるが、ＦＥＴ３５８はオフ状態となり、正電圧駆動用のＦＥＴ３０３はＰＣＬＫ信号により駆動され、出力端子３１３のＴＲ２ＯＵＴ信号には正電圧が出力される。更にＴＲ２ＣＯＮＴ信号がハイレベルの時は、ＦＥＴ３５６もオン状態となることにより、負電圧駆動用のＦＥＴ３１６のゲート端子電圧が下がり、ＦＥＴ３１６はオフ状態となり、負電圧は出力されない。一方、ＴＲ２ＣＯＮＴ信号がローレベルの時は、ＦＥＴ３５５はオフ状態となるが、ＦＥＴ３５８はオン状態となり、正電圧駆動用のＦＥＴ３０３のゲート端子電圧が下がり、ＦＥＴ３０３はオフ状態となり、正電圧は出力されない。更にＴＲ２ＣＯＮＴ信号がローレベルの時は、ＦＥＴ３５６もオフ状態となるため、負電圧駆動用のＦＥＴ３１６はＮＣＬＫ信号により駆動され、出力端子３１３のＴＲ２ＯＵＴ信号には負電圧が出力される。このように、ＴＲ２ＣＯＮＴ信号により、二次転写電圧回路の出力電圧の極性を切り替えることが可能となる。
【００３２】
［二次転写電圧回路における各信号の状態変化のタイミング］
図６は、前述した図２、図４、図５の回路図における各種信号の波形図と、信号間の関係を時系列で示したタイミングチャートである。図６において、「信号名」は図４、図５の回路図における各種信号の名称を示し、「状態」は各種信号のレベル（正（電圧）／０／負（電圧）、又はＨｉｇｈ（ハイレベル）／Ｌｏｗ（ローレベル））を示している。更に、「波形」は、横軸を時間として、信号の時間経過による変化を描いた波形図を示している。二次転写電圧回路における各種信号が状態変化するタイミングについて、図６を用いて説明する。まず、ＲＥＳＥＴ信号がローレベル状態からハイレベル状態に切り替わると、二次転写部のニップ部へ負電圧を印加するために、負電圧クロック信号であるＮＣＬＫ信号がオン状態となり、負電圧回路２１０に入力される。これにより、二次転写対向ローラ１１との当接により二次転写部のニップ部を構成する二次転写ローラ１２には、負電圧回路２１０からの出力電圧が印加される。そして、記録媒体１０１の先端が二次転写部のニップ部を通過し始めると、ニップ部における抵抗値が増加することにより二次転写ローラ１２に印加される電圧が増加し、電圧検知信号であるＴＲ２ＳＶ信号の出力電圧が負方向（負電圧が大きくなる方向）に増加する。この負電圧の増加は、記録媒体１０１の先端が二次転写部のニップ部（ニップ幅Ｎ）を通過する期間（図６におけるＴａ）だけ継続され、その後は一定の負電圧となる。期間Ｔａは、二次転写部のニップ幅Ｎと記録媒体の搬送速度ｍを用いて、次式で表される。
【００３３】
2013076873.tif 000006
【００３４】
ＴＲ２ＳＶ信号の出力電圧が負方向へ増加すると同時に、ＴＲ２ＳＶ信号を入力とする微分回路２４０は、ＴＲ２ＳＶ信号の出力電圧が増加している期間Ｔａをパルス幅とする負パルスを、微分回路２４０の出力信号であるＴＲ２ＳＤ信号として出力する。そして、ＴＲ２ＳＤ信号が入力された絶対値回路４００は、ＴＲ２ＳＤ信号のパルス幅（図６におけるＴａ）だけハイレベルのＴＲ２ＳＲ信号を出力する。すると、制御ＩＣ４１０の入力信号であるＴＲ２ＳＲ信号がローレベル状態からハイレベル状態へ変化することにより、制御ＩＣ４１０の出力信号であるＴＲ２ＣＯＮＴ信号の出力もローレベル状態からハイレベル状態に変化する。その結果、正電圧クロック信号であるＰＣＬＫ信号がオン状態、負電圧クロック信号であるＮＣＬＫ信号がオフ状態となり、二次転写電圧回路の出力であるＴＲ２ＯＵＴ信号の出力電圧は、負電圧から正電圧回路２００から供給される正電圧に切り替わる。そして、記録媒体１０１の先端が二次転写部のニップ部（ニップ幅Ｎ）を通過してしまい、二次転写ローラ１２に印加される電圧が一定になると、電圧検知信号であるＴＲ２ＳＶ信号の出力電圧の増加が終わり、一定電圧となる。その結果、微分回路２４０の出力信号であるＴＲ２ＳＤ信号の出力は０ボルトとなり、絶対値回路４００の出力信号であるＴＲ２ＳＲ信号の出力はローレベルとなる。また、ＣＰＵＳ信号は、ＣＰＵの制御により、記録媒体１０１の先端が二次転写部のニップ部に到達した後で、かつ、後端が二次転写部のニップ部に到達する前のタイミングで、ローレベル状態からハイレベル状態に切り替えられる。
【００３５】
その後、記録媒体１０１の後端が二次転写部のニップ部を通過し始めると、ニップ部における抵抗値が減少することにより二次転写ローラ１２を流れる電流値が増加し、電流検知信号であるＴＲ２ＳＣ信号の出力電圧が正方向（正電圧が大きくなる方向）に上昇する。この電圧上昇は、記録媒体１０１の先端が二次転写部ニップ幅Ｎの領域を通過する期間（図６におけるＴａ）だけ継続され、その後は一定の正電圧となる。ＴＲ２ＳＣ信号の出力電圧が上昇すると同時に、微分回路２５０の出力信号であるＴＲ２ＳＤ信号には、ＴＲ２ＳＣ信号の出力電圧が増加している期間Ｔａをパルス幅とする正パルスが出力される。そして、ＴＲ２ＳＤ信号が入力された絶対値回路４００は、ＴＲ２ＳＤ信号のパルス幅（図６におけるＴａ）だけハイレベルのＴＲ２ＳＲ信号を出力する。すると、ＴＲ２ＳＲ信号がローレベル状態からハイレベル状態へ出力が変化することにより、制御ＩＣ４１０の出力信号であるＴＲ２ＣＯＮＴ信号の出力もハイレベル状態からローレベル状態となる。その結果、正電圧クロック信号であるＰＣＬＫ信号がオフ状態、負電圧クロック信号であるＮＣＬＫ信号がオン状態となり、二次転写電圧回路の出力であるＴＲ２ＯＵＴ信号の出力電圧は、正電圧から負電圧回路２１０から供給される負電圧に切り替わる。
【００３６】
そして、記録媒体１０１の後端が二次転写部のニップ部（ニップ幅Ｎ）を通過してしまい、二次転写ローラ１２を流れる電流が一定になると、電流検知信号であるＴＲ２ＳＣ信号の出力電圧も上昇が終わって一定電圧になる。その結果、微分回路２５０の出力信号であるＴＲ２ＳＤ信号は０に、絶対値回路４００の出力信号であるＴＲ２ＳＲ信号はローレベルに収束する。その後、ＣＰＵの制御により、ＣＰＵＳ信号、ＲＥＳＥＴ信号はローレベル状態に設定され、記録媒体１０１が二次転写部のニップ部に到達する前の初期状態に戻る。
【００３７】
以上説明したように、本実施例によれば、記録媒体の先端及び後端が転写部に到達するタイミングを精度良く検知することができる。特に前述したような回路構成を採ることにより、記録媒体の先端及び後端が二次転写部に到達するタイミングを精度良く検知でき、二次転写電圧の極性の切り替えをすることができる。
【実施例２】
【００３８】
実施例１では、負電圧回路２１０の出力電圧が正電圧回路２００を介して、二次転写ローラ１２に印加される構成の二次転写電圧回路を備えた画像形成装置における実施例について説明した。本実施例では、正電圧回路２００の出力電圧が負電圧回路２１０を介して、二次転写ローラ１２に印加される構成の二次転写電圧回路を備えた画像形成装置における実施例について説明する。すなわち、本実施例では、図１については正電圧電源１２ａと負電圧電源１２ｂを入れ替えた回路構成、図２、図３については正電圧回路２００と負電圧回路２１０を入れ替えた回路構成となる。そのため、図４の回路図では、負電圧回路の出力電圧が正電圧回路のフライバックトランス３０５の二次巻線を通じてＴＲ２ＯＵＴ信号として出力している回路部分の変更が必要となるが、その他の回路や図５の回路については変更がなく、実施例１と同様である。
【００３９】
［二次転写電圧回路における各信号の状態変化のタイミング］
図７は、本実施例の二次転写電圧回路における各種信号の波形図と、信号間の関係を時系列で示したタイミングチャートである。図７は、実施例１の図６と同様に、「信号名」は図４、図５の回路図における各種信号の名称を示し、「状態」は各種信号のレベル（正（電圧）／０／負（電圧）、又はＨｉｇｈ（ハイレベル）／Ｌｏｗ（ローレベル））を示している。更に、「波形」は、横軸を時間として、信号の時間経過による変化を描いた波形図を示している。本実施例の二次転写電圧回路における各種信号が状態変化するタイミングについて、図７を用いて説明する。
【００４０】
まず、ＲＥＳＥＴ信号がローレベル状態からハイレベル状態に切り替わると、二次転写部のニップ部へ負電圧を印加するために、負電圧クロック信号であるＮＣＬＫ信号がオン状態となり、負電圧回路２１０に入力される。これにより、二次転写対向ローラ１１との当接により二次転写部のニップ部を構成する二次転写ローラ１２には、負電圧回路２１０からの出力電圧が印加される。この時、電流検知回路２３０の抵抗３４６に流れる電流の方向は、正電圧が印加された状態で電流検知を行っていた実施例１の場合とは逆方向となる。そして、記録媒体１０１の先端が二次転写部のニップ部を通過し始めると、前述したように、ニップ部における抵抗値が増加する。そのため、記録媒体１０１の先端が二次転写部のニップ部（ニップ幅Ｎ）を通過する期間（図７におけるＴａ）だけ、二次転写ローラ１２に流れる電流は減少し続ける。図７における期間Ｔａは、実施例１の期間Ｔａと同様であり、算出方法等についての説明は省略する。二次転写ローラ１２に流れる電流が減少し続けると、図４の抵抗３４６の両端にかかる電圧も減少し続けるため、電流検知回路２３０から出力される電流検知信号であるＴＲ２ＳＣ信号の出力電圧も正方向（負電圧が減少する方向）に上昇し続ける。ＴＲ２ＳＣ信号の出力電圧が正方向に向かって上昇すると同時に、ＴＲ２ＳＣ信号を入力とする微分回路２５０は、ＴＲ２ＳＣ信号の出力電圧が上昇している期間Ｔａをパルス幅とする正パルスを、微分回路２５０の出力信号であるＴＲ２ＳＤ信号として出力する。そして、ＴＲ２ＳＤ信号が入力された絶対値回路４００は、ＴＲ２ＳＤ信号のパルス幅（図７におけるＴａ）だけハイレベルのＴＲ２ＳＲ信号を出力する。すると、制御ＩＣ４１０の入力信号であるＴＲ２ＳＲ信号がローレベル状態からハイレベル状態へ変化することにより、制御ＩＣ４１０の出力信号であるＴＲ２ＣＯＮＴ信号の出力もローレベル状態からハイレベル状態に変化する。その結果、正電圧クロック信号であるＰＣＬＫ信号がオン状態、負電圧クロック信号であるＮＣＬＫ信号がオフ状態となり、二次転写電圧回路の出力であるＴＲ２ＯＵＴ信号の出力電圧は、負電圧から正電圧回路２００から供給される正電圧に切り替わる。そして、記録媒体１０１の先端が二次転写部のニップ部（ニップ幅Ｎ）を通過してしまい、二次転写ローラ１２に流れる電流値が一定になると、電流検知信号であるＴＲ２ＳＣ信号の出力電圧の上昇が終わり、一定電圧となる。その結果、微分回路２５０の出力信号であるＴＲ２ＳＤ信号の出力は０ボルトとなり、絶対値回路４００の出力信号であるＴＲ２ＳＲ信号の出力はローレベルとなる。また、ＣＰＵＳ信号は、ＣＰＵの制御により、記録媒体１０１の先端が二次転写部のニップ部に到達した後で、かつ、後端が二次転写部のニップ部に到達する前のタイミングで、ローレベル状態からハイレベル状態に切り替えられる。
【００４１】
その後、記録媒体１０１の後端が二次転写部のニップ部を通過し始めると、ニップ部における抵抗値が減少することにより、二次転写ローラ１２に印加される電圧が減少し、電圧検知信号であるＴＲ２ＳＶ信号の出力電圧も減少する。このＴＲ２ＳＶ信号の出力電圧の減少は、記録媒体１０１の後端が二次転写部のニップ部（ニップ幅Ｎ）を通過する期間（図７におけるＴａ）だけ継続され、その後は一定の電圧となる。ＴＲ２ＳＶ信号の出力電圧が減少すると同時に、ＴＲ２ＳＶ信号を入力とする微分回路２４０は、ＴＲ２ＳＶ信号の出力電圧が減少している期間Ｔａをパルス幅とする負パルスを、微分回路２４０の出力信号であるＴＲ２ＳＤ信号として出力する。そして、ＴＲ２ＳＤ信号が入力された絶対値回路４００は、ＴＲ２ＳＤ信号のパルス幅（図７におけるＴａ）だけハイレベルのＴＲ２ＳＲ信号を出力する。すると、ＴＲ２ＳＲ信号がローレベル状態からハイレベル状態へ出力が変化することにより、制御ＩＣ４１０の出力信号であるＴＲ２ＣＯＮＴ信号の出力もハイレベル状態からローレベル状態となる。その結果、正電圧クロック信号であるＰＣＬＫ信号がオフ状態、負電圧クロック信号であるＮＣＬＫ信号がオン状態となり、二次転写電圧回路の出力であるＴＲ２ＯＵＴ信号の出力電圧は、正電圧から負電圧回路２１０から供給される負電圧に切り替わる。
【００４２】
そして、記録媒体１０１の後端が二次転写部のニップ部（ニップ幅Ｎ）を通過してしまい、二次転写ローラ１２に印加される電圧が一定になると、電圧検知信号であるＴＲ２ＳＶ信号の出力電圧も減少が終わって一定電圧になる。その結果、微分回路２４０の出力信号であるＴＲ２ＳＤ信号は０に、絶対値回路４００の出力信号であるＴＲ２ＳＲ信号はローレベルに収束する。その後、ＣＰＵの制御により、ＣＰＵＳ信号、ＲＥＳＥＴ信号はローレベル状態に設定され、記録媒体１０１が二次転写部のニップ部に到達する前の初期状態に戻る。
【００４３】
以上説明したように、本実施例によれば、記録媒体の先端及び後端が転写部に到達するタイミングを精度良く検知することができる。特に、正電圧回路の出力が負電圧回路を介して、二次転写ローラに接続される回路構成においても、記録媒体の先端及び後端が二次転写部に到達するタイミングを精度良く検知でき、二次転写電圧の極性の切り替えをすることができる。
【符号の説明】
【００４４】
１０１    記録媒体
２００    正電圧回路
２１０    負電圧回路
２２０    電圧検知回路
２３０    電流検知回路
４１０    制御ＩＣ
【図１】
2013076873.tif 000007
【図２】
2013076873.tif 000008
【図３】
2013076873.tif 000009
【図４】
2013076873.tif 000010
【図５】
2013076873.tif 000011
【図６】
2013076873.tif 000012
【図７】
2013076873.tif 000013